(57)【要約】【課題】結婚披露宴時に列席者に配布でき、結婚衣装を着た新婦、新郎等の写真集とすることで、結婚式と同等の格好をした新郎等に関する話題を披露宴中に提供でき、披露宴が終わった後でも結婚式の記念品として、結婚式の報告に用いる等の、結婚式及び披露宴に関する話題を提供することができ、記念品となる結婚披露宴配布用写真集を提供する。【解決手段】本結婚披露宴配布用写真集は、結婚披露宴時に予め各列席者の各席に配布され、且つ、結婚式に先立って撮影された結婚衣装を着た新婦の前撮り写真を含む写真が掲載され、表紙及び写真集内の複数のページに少なくとも前撮り写真が掲載されており、表紙には新婦の前撮り写真等の１枚が表紙全体に渡って掲載されており、且つ、表紙以外の各ページには、新婦の前撮り写真等のうちの少なくとも１種の１枚以上の前撮り写真が掲載されていることを特徴とする。【選択図】図１
2012056091.tif 000002
【特許請求の範囲】
【請求項１】
新郎及び新婦の結婚披露宴時に予め各列席者の各席に配布されて使用され、且つ、該新郎及び該新婦の結婚式に先立って撮影された結婚衣装を着た該新婦の前撮り写真を含む写真が掲載されている結婚披露宴配布用写真集であって、
前記結婚披露宴配布用写真集の表紙及び該結婚披露宴配布用写真集内の複数のページに、少なくとも前撮り写真が掲載されており、前記表紙には該新婦の前撮り写真の１枚又は前記新郎及び該新婦の両方が掲載された前撮り写真の１枚が表紙全体に渡って掲載されており、且つ、該表紙以外の該各ページには、該新婦の前撮り写真、該新郎及び該新婦の両者が撮影された前撮り写真並びに新郎の前撮り写真のうちの少なくとも１種の１枚又は２枚以上の前記前撮り写真が掲載されている写真集であることを特徴とする結婚披露宴配布用写真集。
【請求項２】
前記前撮り写真を示す頁には、前記新郎及び前記新婦からのメッセージを掲載する新郎新婦からのメッセージ部を備える請求項１記載の結婚披露宴用写真集。
【請求項３】
前記新郎及び前記新婦を紹介する紹介記事及び該紹介記事に関するスナップ写真を掲載する新郎新婦紹介部又は新郎新婦紹介頁を備える請求項１又は２に記載の結婚披露宴配布用写真集。
【請求項４】
前記新郎及び前記新婦の友人及び両親のうちの少なくとも該友人からのメッセージ並びに該メッセージに関する写真を掲載する友人両親からのメッセージ部又は友人両親からのメッセージ頁を備える請求項１ないし３のいずれかに記載の結婚披露宴配布用写真集。
【請求項５】
前記写真集の表紙又は裏表紙には、前記各席に座る前記列席者を表す名称を記載する名称記載部を備える請求項１ないし４のいずれかに記載の結婚披露宴配布用写真集。
【請求項６】
前記結婚披露宴配布用写真集の裏表紙は、前記新郎及び前記新婦からの各列席者あてのメッセージ及び該列席者を表す名称の掲載を含む、各列席者あてメッセージ部を備えるか若しくは該各列席者あてメッセージ頁を構成する請求項１ないし５のいずれかに記載の結婚披露宴配布用写真集。
【請求項７】
前記表紙に前記各席に座る前記列席者を表す名称が掲載されている場合は、前記裏表紙には、前記新婦の前撮り写真の１枚又は前記新郎及び該新婦の両方が掲載された前撮り写真の１枚が裏表紙全体に渡って掲載されている請求項５記載の結婚披露宴配布用写真集。
【請求項８】
前記結婚披露宴配布用写真集の裏表紙は、前記新郎及び前記新婦からの各列席者あてのメッセージ及び該列席者を表す名称の掲載を含む、各列席者あてメッセージ部を備えるか若しくは該各列席者あてメッセージ頁を構成する場合は、前記表紙には前記列席者を表す名称が記載されていない請求項６記載の結婚披露宴配布用写真集。
【請求項９】
前記新郎及び前記新婦による誓約書が掲載されている誓約書部又は誓約書頁を備える請求項５ないし８のいずれかに記載の結婚披露宴配布用写真集。
【請求項１０】
前記結婚披露宴の席次表が掲載されている席次表部又は席次表頁を備える請求項５ないし９のいずれか１項に記載の結婚披露宴配布用写真集。
【請求項１１】
前記結婚披露宴の料理のメニューが掲載されている料理メニュー部又は料理メニュー頁を備える請求項５ないし１０のいずれか１項に記載の結婚披露宴配布用写真集。
【請求項１２】
前記表紙には該新婦の前撮り写真の１枚が表紙全体に渡って掲載されており、
前記表紙に続く、前記前撮り写真を掲載する頁は１〜１４頁であり、
前記前撮り写真は、全て前記新婦の前撮り写真、又は、前記新婦の前撮り写真及び前記新郎及び新婦の両者の前撮り写真が掲載された前撮り写真であり、
前記前撮り写真を示す前撮り頁に続いて、前記新郎及び前記新婦を紹介する紹介記事及び該紹介記事に関するスナップ写真を掲載する新郎新婦紹介部又は新郎新婦紹介頁を備え、
前記新郎新婦紹介部又は前記新郎新婦紹介頁に続いて、前記新郎及び前記新婦の友人及び両親のうちの少なくとも該友人からのメッセージ並びに該メッセージに関する写真を掲載する友人両親からのメッセージ部又は友人両親からのメッセージ頁を備え、
前記写真集の表紙又は裏表紙には、前記各席に座る前記列席者を表す名称が記載されている請求項１に記載の結婚披露宴配布用写真集。
【請求項１３】
前記写真集の表紙に前記各席に座る前記列席者を表す名称が掲載されている場合は、前記裏表紙には、前記新婦の前撮り写真の１枚又は前記新郎及び該新婦の両方が掲載された前撮り写真の１枚が裏表紙全体に渡って掲載されている請求項１２記載の結婚披露宴配布用写真集。
【請求項１４】
前記表紙には前記列席者を表す名称が記載されていない場合は、前記結婚披露宴配布用写真集の裏表紙は、前記新郎及び前記新婦からの各列席者あてのメッセージ及び該列席者を表す名称の掲載を含む、各列席者あてメッセージ部を備えるか若しくは該各列席者あてメッセージ頁を構成する請求項１２記載の結婚披露宴配布用写真集。
【請求項１５】
前記友人両親からのメッセージ部又は前記友人両親からのメッセージ頁に続いて、
前記新郎及び前記新婦による誓約書が掲載されている誓約書部又は誓約書頁、前記結婚披露宴の席次表が掲載されている席次表頁、及び前記結婚披露宴の料理のメニューが掲載されている料理メニュー頁のうちの１又は２以上を、順不同に備える請求項１３又は１４に記載の結婚披露宴配布用写真集。
【発明の詳細な説明】
【技術分野】
【０００１】
本発明は、結婚披露宴時に列席者に配布することができ、結婚衣装を着た新婦、新郎又は両者の写真集とすることで、結婚式と同等の格好をした新郎又は新婦に関する話題を披露宴中に提供することができ、披露宴が終わった後でも結婚式の記念品として、結婚式の報告に用いる等の、結婚式及び披露宴に関する話題を提供することができるとともに、記念品となる結婚披露宴配布用写真集に関する。
【背景技術】
【０００２】
結婚式の披露宴では、各列席者のために席次表や料理のメニュー等が配布されるが、これらは必要な事項のみ記載された印刷物であることが多いため、写真等を掲載して話題性に富むようにした印刷物が提案されている（例えば特許文献１及び２を参照。）。また、席次表及びメニュー等は、それぞれ異なる用紙に印刷された印刷物であることが多いため、１つの冊子としてデザインを統一したり使い勝手を良くしたりすることが提案されている（例えば特許文献３を参照。）。
【０００３】
特許文献１には、新郎及び新婦の顔写真が印刷されている席次表等が提案されている。
また、特許文献２には、披露宴の会場を提供するホテル等の施設が写っている絵画が印刷されている席次表や招待状が提案されている。
更に特許文献３には、席次表等を設け、複数のページの端部を階段状にずらしてインデックスが目視可能とした席次表印刷物が提案されている。
【先行技術文献】
【特許文献】
【０００４】
【特許文献１】登録実用新案３０５０７５９号公報
【特許文献２】実開平６−５５７６５号公報
【特許文献３】特開２００５−２００５−３２４４７２号公報
【発明の概要】
【発明が解決しようとする課題】
【０００５】
しかし、特許文献１に示す席次表等は、席次表等に写真を添えたものであって、写真により席次表等に記載されている人物等を分かりやすくことを目的としている。また、特許文献２に示す席次表等は、披露宴会場に関連する絵画が掲載されているものであって、新郎及び新婦の結婚式及び披露宴に関する話題の提供には適していない。更に、特許文献３に示す席次表印刷物は、席次表印刷物内の各項目を参照するには適しているが、新郎及び新婦の結婚式等の内容を掲載することについては検討されていない。
このように特許文献１ないし３のいずれに示す印刷物において、新郎及び新婦の結婚式に関する話題に活用することができるような内容の写真、特に結婚衣装を着た新婦を重視した写真を掲載し、且つ披露宴で配布するような印刷物には検討されていなかった。
【０００６】
本発明は、上記のような問題に鑑み、結婚披露宴時に列席者に配布することができ、結婚衣装を着た新婦や新郎の写真集を中心にした構成にすることで、結婚式と同等の格好をした新郎及び新婦に関する話題を披露宴中に提供することができ、披露宴が終わった後でも結婚式の記念品として、結婚式の報告に用いる等の、結婚式及び披露宴に関する話題を提供することができるとともに、記念品となる結婚披露宴配布用写真集を提供することを目的とする。
【課題を解決するための手段】
【０００７】
１．新郎及び新婦の結婚披露宴時に予め各列席者の各席に配布されて使用され、且つ、該新郎及び該新婦の結婚式に先立って撮影された結婚衣装を着た該新婦の前撮り写真を含む写真が掲載されている結婚披露宴配布用写真集であって、前記結婚披露宴配布用写真集の表紙及び該結婚披露宴配布用写真集内の複数のページに、少なくとも前撮り写真が掲載されており、前記表紙には該新婦の前撮り写真の１枚又は前記新郎及び該新婦の両方が掲載された前撮り写真の１枚が表紙全体に渡って掲載されており、且つ、該表紙以外の該各ページには、該新婦の前撮り写真、該新郎及び該新婦の両者が撮影された前撮り写真並びに新郎の前撮り写真のうちの少なくとも１種の１枚又は２枚以上の前記前撮り写真が掲載されている写真集であることを特徴とする結婚披露宴配布用写真集。
２．前記前撮り写真を示す頁には、前記新郎及び前記新婦からのメッセージを掲載する新郎新婦からのメッセージ部を備える前記１．記載の結婚披露宴用写真集。
３．前記新郎及び前記新婦を紹介する紹介記事並びに該紹介記事に関するスナップ写真を掲載する新郎新婦紹介部又は新郎新婦紹介頁を備える前記１．又は前記２．に記載の結婚披露宴配布用写真集。
４．前記新郎及び前記新婦の友人並びに両親のうちの少なくとも該友人からのメッセージ及び該メッセージに関する写真を掲載する友人両親からのメッセージ部又は友人両親からのメッセージ頁を備える前記１．ないし３のいずれかに記載の結婚披露宴配布用写真集。
５．前記写真集の表紙又は裏表紙には、前記各席に座る前記列席者を表す名称を記載する名称記載部を備える前記１．ないし４のいずれかに記載の結婚披露宴配布用写真集。
６．前記結婚披露宴配布用写真集の裏表紙は、前記新郎及び前記新婦からの各列席者あてのメッセージ及び該列席者を表す名称の掲載を含む、各列席者あてメッセージ部を備えるか若しくは該各列席者あてメッセージ頁を構成する前記１．ないし５のいずれかに記載の結婚披露宴配布用写真集。
７．前記表紙に前記各席に座る前記列席者を表す名称が掲載されている場合は、前記裏表紙には、前記新婦の前撮り写真の１枚又は前記新郎及び該新婦の両方が掲載された前撮り写真の１枚が裏表紙全体に渡って掲載されている前記５．記載の結婚披露宴配布用写真集。
８．前記結婚披露宴配布用写真集の裏表紙は、前記新郎及び前記新婦からの各列席者あてのメッセージ及び該列席者を表す名称の掲載を含む、各列席者あてメッセージ部を備えるか若しくは該各列席者あてメッセージ頁を構成する場合は、前記表紙には前記列席者を表す名称が記載されていない前記６．記載の結婚披露宴配布用写真集。
９．前記新郎及び前記新婦による誓約書が掲載されている誓約書部又は誓約書頁を備える前記５．ないし８のいずれかに記載の結婚披露宴配布用写真集。
１０．前記結婚披露宴の席次表が掲載されている席次表部又は席次表頁を備える前記５．ないし前記９．のいずれかに記載の結婚披露宴配布用写真集。
１１．前記結婚披露宴の料理のメニューが掲載されている料理メニュー部又は料理メニュー頁を備える前記５．ないし１０のいずれか１項に記載の結婚披露宴配布用写真集。
１２．前記表紙には該新婦の前撮り写真の１枚が表紙全体に渡って掲載されており、前記表紙に続く、前記前撮り写真を掲載する頁は２〜１４頁であり、前記前撮り写真は、全て前記新婦の前撮り写真、又は、前記新婦の前撮り写真及び前記新郎及び新婦の両者の前撮り写真が掲載された前撮り写真であり、前記前撮り写真を示す前撮り頁に続いて、前記新郎及び前記新婦を紹介する紹介記事並びに該紹介記事に関するスナップ写真を掲載する新郎新婦紹介部又は新郎新婦紹介頁を備え、前記新郎新婦紹介部又は前記新郎新婦紹介頁に続いて、前記新郎及び前記新婦の友人並びに両親のうちの少なくとも該友人からのメッセージ及び該メッセージに関する写真を掲載する友人両親からのメッセージ部又は友人両親からのメッセージ頁を備え、前記写真集の表紙又は裏表紙には、前記各席に座る前記列席者を表す名称が記載されている前記１．に記載の結婚披露宴配布用写真集。
１３．前記写真集の表紙に前記各席に座る前記列席者を表す名称が掲載されている場合は、前記裏表紙には、前記新婦の前撮り写真の１枚又は前記新郎及び該新婦の両方が掲載された前撮り写真の１枚が裏表紙全体に渡って掲載されている前記１２．記載の結婚披露宴配布用写真集。
１４．前記表紙には前記列席者を表す名称が記載されていない場合は、前記結婚披露宴配布用写真集の裏表紙は、前記新郎及び前記新婦からの各列席者あてのメッセージ及び該列席者を表す名称の掲載を含む、各列席者あてメッセージ部を備えるか若しくは該各列席者あてメッセージ頁を構成する前記１２．記載の結婚披露宴配布用写真集。
１５．前記友人両親からのメッセージ部又は前記友人両親からのメッセージ頁に続いて、前記新郎及び前記新婦による誓約書が掲載されている誓約書部又は誓約書頁、前記結婚披露宴の席次表が掲載されている席次表頁、及び前記結婚披露宴の料理のメニューが掲載されている料理メニュー頁のうちの１又は２以上を、順不同に備える前記１３．又は前記１４．に記載の結婚披露宴配布用写真集。
【発明の効果】
【０００８】
本発明の結婚披露宴配布用写真集によれば、表紙を含む複数のページに、結婚式の前に撮影された該新婦の結婚衣装を着た前撮り写真等を掲載することにより、結婚する二人、特に花嫁が主人公の写真集とすることができ、結婚式における花嫁姿を多くの人に見せるのに適した内容とすることができる。また、列席者の席に本写真集を予め配布しておくことで、披露宴が始まり、新婦及び新郎が入場するまでの間、新婦及び／又は新郎（特に新婦）の格好、特に従来では多くの人に見られることがない前撮り写真についての話題を提供することができる。
更に、披露宴の後であっても、結婚衣装を着た新婦の前撮り写真により、結婚式や披露宴に出席しなかった人に結婚式の様子を、前撮り写真を見せながら説明することができる。また、二次会等に移動するまでの間、結婚衣装を着た新婦の前撮り写真を見ることができるため、結婚式や披露宴における新婦及び新郎の格好が容易にわかり、関連する話題に活用することができる。
更に、新婦及び新郎が結婚披露宴配布用写真集を作成するために携わるため、結婚式までの思い出作りに寄与することができる。
また、冊子の形態とすることで、披露宴が終わっても保管する記念品としての価値を高め、披露宴の後で改めて見直して、語り合うことのきっかけとすることができる。
【０００９】
更に、前撮り写真を示す頁に新郎新婦からのメッセージ部を備える場合は、写真集に新郎新婦の思いを伝えることができる方向性を与え、結婚式中、披露宴中及び披露宴後に新婦及び新郎に関する話題の提供に寄与することができる。
また、新郎及び新婦を紹介する紹介記事並びに紹介記事に関するスナップ写真を掲載する新郎新婦紹介部又は新郎新婦紹介頁を備える場合は、相手方の親戚や友人達に自分たちの生い立ち等をスナップ写真によってより容易に理解してもらえることができるため、新婦及び新郎の前撮り写真に対して、生い立ち等を理解したうえで観賞することができる。また、新婦及び新郎が入場するまでの間、結婚式中、披露宴中及び披露宴後に生い立ち等に関する話をするための話題作りに寄与することができる。更に、スナップ写真を備えるので写真集としての意義が更に発揮される。
また、友人両親からのメッセージ部又は友人両親からのメッセージ頁を備える場合は、新郎及び新婦と、友人や両親と、の関係を知ることができ、更に、スナップ写真により掲載されるメッセージを書いた人柄が分かりやすくなるため、新婦及び新郎についての人柄等が分かりやすくなり、新婦及び新郎の前撮り写真に対して、その人柄等を理解したうえで観賞することができる。また、新婦及び新郎が友人等と本結婚披露宴配布用写真集を作成するために携わるため、結婚式までの間、各人が本写真集の作成を楽しむこともできる。また、スナップ写真を備えるので写真集としての意義が更に発揮される。
更に、表紙又は裏表紙に席に座る列席者の名称を記載する名称記載部を備える場合は、当列席者の席札として用いることができる。また、列席者の名称が予め記載されている写真集となるため、列席者に対して特別な写真集である印象を与えることができる。
更に、裏表紙に各列席者あてメッセージ部を備えるか若しくは各列席者あてメッセージ頁を構成する場合は、各列席者に感謝の言葉等を併せて記載することで、各列席者に対する新婦及び新郎に対する親密感を与えることができる。
また、表紙に各席に座る列席者を表す名称が掲載され、裏表紙には、新婦の前撮り写真の１枚又は新郎及び新婦の両方が掲載された撮り写真の１枚が裏表紙全体に渡って掲載されている場合は、該当列席者の席札として用いることができるとともに、表紙も裏表紙も共に前撮り写真が大きく掲載されるので、写真集としての意義が大きく発揮される。更に、列席者の名称が予め記載されている写真集となるため、列席者に対して特別な写真集である印象を与えることができる。
更に、結婚披露宴配布用写真集の裏表紙が、新郎及び新婦からの各列席者あてのメッセージ及び列席者を表す名称の掲載を含む、各列席者あてメッセージ部を備えるか若しくは各列席者あてメッセージ頁を構成し、且つ表紙には前記列席者を表す名称が記載されていない場合は、裏表紙を当列席者の席札として用いることができる。また、裏表紙が見えるように配布することで、列席者が本写真集の写真集としての印象が強く表れている表紙を見たとき、その印象をより強めることができる。
更に、新郎及び新婦による誓約書が記載されている誓約書部又は誓約書頁が設けられている場合は、両親、家族や祖父母、友人等に感謝の気持ちを伝える機会を設けることができる写真集とすることができると共に、新郎及び新婦に限らず、皆にとっても記念となる写真集とすることができる。また、新婦及び新郎が入場するまでの間に列席者が、結婚式中、披露宴中及び披露宴後に誓約書に関する話をするための話題作りに寄与することができる。
更に、結婚披露宴の料理のメニューが掲載されている料理メニュー部又は料理メニュー頁を備える場合は写真集の一部としてまとまるため、披露宴後においても披露宴の様子を話すとき等に活用することができると共に、新郎及び新婦に限らず、皆にとっても記念となる写真集とすることができる。
【００１０】
また、前撮り写真を掲載する頁、新郎新婦紹介部又は新郎新婦紹介頁、並びに友人両親からのメッセージ部又は友人両親からのページ頁の順に構成する場合は、写真集としてのストーリー性を高め、披露宴が終わっても保管する記念品としての価値を高め、披露宴の後で改めて見直して、語り合うことのきっかけとすることができる。
更に、写真集の表紙に各席に座る列席者を表す名称が掲載されている場合は、裏表紙には、新婦の前撮り写真の１枚又は新郎及び新婦の両方が掲載された前撮り写真の１枚が裏表紙全体に渡って掲載されている場合は、席札として活用しやすくすることができ、且つ裏表紙が見えるように配布することで、列席者が本写真集の写真集としての印象が強く表れている表紙を見たとき、その印象をより強めることができる。
【図面の簡単な説明】
【００１１】
本発明について、本発明による典型的な実施形態の非限定的な例を挙げ、言及された複数の図面を参照しつつ以下の詳細な記述によって更に説明するが、同様の参照符号は図面のいくつかの図を通して同様の部位を示す。
【図１】本結婚披露宴配布用写真集の表紙の例である。
【図２】本結婚披露宴配布用写真集の１ページ全面に１写真を掲載した前撮り写真と新郎新婦からのメッセージ部頁の例である。
【図３】本結婚披露宴配布用写真集の見開き２ページ全面に１写真を掲載した前撮り写真と新郎新婦からのメッセージ部頁の例である。
【図４】本結婚披露宴配布用写真集の新郎新婦紹介頁の例である。
【図５】本結婚披露宴配布用写真集の友人両親からのメッセージ頁の例である。
【図６】本結婚披露宴配布用写真集の誓約書頁の例である。
【図７】本結婚披露宴配布用写真集の席次表頁の例である。
【図８】本結婚披露宴配布用写真集の料理メニュー頁の例である。
【図９】本結婚披露宴配布用写真集の裏表紙の例である。
【発明を実施するための形態】
【００１２】
以下、図１〜９を参照しながら本発明の結婚披露宴配布用写真集を詳しく説明する。
ここで示される事項は例示的なもの及び本発明の実施形態を例示的に説明するためのものであり、本発明の原理と概念的な特徴とを最も有効に且つ難なく理解できる説明であると思われるものを提供する目的で述べたものである。この点で、本発明の根本的な理解のために必要である程度以上に本発明の構造的な詳細を示すことを意図してはおらず、図面と合わせた説明によって本発明の幾つかの形態が実際にどのように具現化されるかを当業者に明らかにするものである。
【００１３】
本結婚披露宴配布用写真集は、新郎及び新婦の結婚式に先立って撮影された結婚衣装を着た新婦及び／又は新郎の前撮り写真を含む写真が掲載されている写真集である。
また、本写真集は、新郎新婦からのメッセージ部、新郎新婦紹介部又は新郎新婦紹介頁、友人両親からのメッセージ部又は友人両親からのメッセージ頁、名称記載部、各列席者あてメッセージ部又は各列席者あてメッセージ頁、誓約書部又は誓約書頁、席次表部又は席次表頁、並びに料理メニュー部又は料理メニュー頁を適宜掲載することができる。新郎新婦紹介部、友人両親からのメッセージ部、名称記載部、各列席者あてメッセージ部、誓約書部、席次表部及び料理メニュー部は各々１ページ中の一部の領域を示す部分であって、これらの２以上が組み合わさることによって本写真集の１ページ分を構成することとなる。また、新郎新婦紹介頁、友人両親からのメッセージ頁、各列席者あてメッセージ頁、誓約書頁、席次表頁及び料理メニュー頁は、各々が１ページで構成される。また、各頁は見開きの２ページ分にわたって構成されていても良い。
本結婚披露宴配布用写真集は、新郎及び新婦の結婚披露宴が始まる前、即ち各列席者が各席に着席する前に、予め該各席に配布されて使用される。尚、結婚披露宴配布用写真集は、予め列席者の各席に配布されるのみに限られず、任意の機会に加えて配布することができる。例えば、披露宴の二次会で配布したり、披露宴に来られなかった人等のために郵送したりしても良い。
【００１４】
前記「前撮り写真」は、結婚式及び披露宴に先立って撮影された、いわゆる「前撮り」である写真である。この前撮り写真は、主に結婚衣装を着た新婦及び／又は新郎の写真である。この例として、結婚衣装を着た新婦の前撮り写真、新婦及び新郎が結婚衣装を着た前撮り写真、並びに結婚衣装を着た新郎の前撮り写真を挙げることができる。
この「結婚衣装」は、結婚式で着用する衣装に限られず、披露宴中で変えるいわゆるお色直しの衣装を含むものとする。更に、写真中に結婚衣装が写っていない場合であっても新婦が前撮りの際に撮影した写真であればかまわない。この例として、被写体の顔を中心とした構成で撮影したため着用しているにもかかわらず結婚衣装が写っていない写真、被写体の化粧中であって化粧により結婚衣装が汚れないように結婚衣装の上から別の衣類を着ているために結婚衣装が写っていない写真、被写体が結婚衣装を着用していないが結婚衣装を選んでいる写真、被写体が結婚衣装を着用していないが結婚衣装の着用前後に撮影した写真、等を挙げることができる。
前撮り写真を撮影する場所は特に問わず、結婚式場内のスタジオ内で撮ったり、結婚式場内の設備（例えば、図２に例示する前撮り写真１２に示す階段付近を参照。）で撮ったり、屋外（例えば、図３に例示する前撮り写真１２を参照。）で撮ったりしても良い。更に、写真の構図においても任意に選択することができ、図１に例示する直立している格好２に限られず、様々なシチュエーション、例えば、図２に例示する階段から下りたところの格好２、図３に例示する振り向いた格好２、格好を整えるところ、椅子に座ったところ、化粧をしているところ等を挙げることができる。
【００１５】
本結婚披露宴配布用写真集の表紙は、１枚の前撮り写真が表紙全体に渡って掲載される。この表紙の前撮り写真は、新婦のみ、又は新郎及び新婦の両方が写っているものとする。また、前撮り写真上には、図１に例示するように、文１１１を重ねて掲載することができる。このような文１１１は、結婚式や本写真集の内容に関する内容等を示す文とすることができ、例えば、新郎及び新婦の名称、披露宴の日付、本写真集の表題（例えば、「Ｈａｐｐｙ  Ｗｅｄｄｉｎｇ」等を挙げることができる。）及び副題（例えば、「新郎及び新婦からのメッセージ」等を挙げることができる。）等を挙げることができる。更に、文１１１は、前撮り写真の人物の、その観賞に支障が生じることがない位置、例えば背景部分や、人物の顔等を避けた位置、例えば腰部や脚部等の位置に掲載される。
【００１６】
また、結婚披露宴配布用写真集内のページ、即ち表紙及び裏表紙以外のページには、複数のページに少なくとも前撮り写真が掲載されている。更に、各該ページは、前撮り写真のみ掲載するに限られず、前撮り写真でないスナップ写真等の写真、文章、図面、表及び絵等が併せて掲載されていても良い。尚、裏表紙に前撮り写真が掲載されていてもよい。
前撮り写真が掲載されるページ数は２枚以上の複数であればよく、結婚披露宴配布用写真集の全てのページであってもよいし、２ページであっても良いが、通常写真集の半分以上のページ数とするのが好ましい。写真集の半分以上とすることで全体として写真集としての構成がより強まるからである。
また、結婚披露宴配布用写真集に前撮り写真を掲載する複数のページは、連続した複数ページであってもよいし、非連続のページであってもよい。このうち、連続したページに掲載すると、写真集としての構成がより高まるため好ましいものとすることができる。更に、表紙から連続したページとすると、表紙から写真集の内容が連続したものとなるため、より好ましいものとすることができる。
各ページに前撮り写真を掲載する構成は、写真集として写真が主な要素として観賞できる構成であって、例えば、図２に例示するように１枚の前撮り写真１２がページ全体に渡って掲載される、及びページ全体に渡って２〜５枚の写真を掲載する構成を挙げることができる。また、図３に例示するように見開きの２ページに渡って１枚の写真１２を掲載しても良い。このとき、写真に写った人物が両方のページにまたがって掲載されていてもよいし、図３の人物２に例示するように一方のページのみに写っているように掲載していてもよい。このように１枚の写真が見開きの２ページに渡って掲載する場合において、人物が写っていない側のページがあっても、そのページの前撮り写真とする。
【００１７】
また、結婚披露宴配布用写真集内の表紙以外の１枚又は２枚以上のページには、新婦の前撮り写真、新郎及び新婦の両者が掲載された前撮り写真、並びに新郎の前撮り写真のうちの少なくとも１種の１枚又は２枚以上の前記前撮り写真が掲載されている。
更に、前撮り写真は、前記の新婦、新郎及び新婦の両者、並びに新郎の前撮り写真の３種のうちの１種が少なくとも掲載されていれば良く、例えば、前記３種のうち１種のみが１枚又は２枚以上掲載されていてもよいし、２種又は全種が各々１以上の任意の枚数だけ掲載されていてもよい。更に、前記３種のうちの２種以上が掲載されているとき、各々の枚数は特に問わない。また、１ページに１種の前撮り写真が複数枚数掲載されていてもよいし、１ページに複数種類、且つ各々が１以上の任意の枚数で掲載されていてもよい。
また、新婦及び新郎が前撮り写真に写っている数の比率は任意に選択することができ、新婦及び新郎が略同数の前撮り写真に写っていてもよいし、新婦及び新郎の一方が他方よりも多い比率で前撮り写真に写っていてもよい。
更に、前撮り写真は、友人両親からのメッセージ部又は友人両親からのメッセージ頁（例えば、図５のメッセージ頁１７に示す前撮り写真１２を参照。）、各列席者あてメッセージ部又は各列席者あてメッセージ頁、誓約書部又は誓約書頁、席次表部又は席次表頁（例えば、図７の席次表頁１５に示す前撮り写真１５２を参照。）、並びに料理メニュー部又は料理メニュー頁等が掲載されている頁に掲載されていてもよい。
【００１８】
前撮り写真を示す頁には、前撮り写真を掲載するだけに限られず、新郎及び新婦からのメッセージを掲載する「新郎新婦からのメッセージ部」を備えることができる。新郎新婦からのメッセージ部は、例えば図２及び３に例示するように、前撮り写真１２上の背景等にメッセージ１２１を掲載することができる。このまた、前撮り写真１２上にメッセージ１２１を掲載する形態は、例えば、前記表紙の文の掲載位置で説明する位置と同様の位置に重ねて掲載することができる。また、１ページに複数枚数の前撮り写真を掲載することによって等に生じた前撮り写真が掲載されていない余白部分にメッセージ１２１を掲載しても良い。
メッセージは文や挿し絵などから構成され、例えば、両親、家族、友人及び同僚等のお世話になった人々への挨拶及び感謝等の文章とすることができる。また、結婚相手に対する挨拶等の文章とすることができる。更に、列席者に対する挨拶及び感謝等の文章とすることができる。
【００１９】
「新郎新婦紹介部」及び「新郎新婦紹介頁」は、図４に例示するように、新郎及び新婦を紹介する紹介記事１３１、並びにその紹介記事１３１に関するスナップ写真１３２を備える。この「紹介記事」は、新郎及び新婦を紹介するための記事であり、新郎及び新婦の生い立ち、二人の出会い、並びに学生時代等に関する思い出等の記事や、その他の逸話の記事等を例示することができる。また、「紹介記事に関するスナップ写真」は、撮影時の場所や被撮影者の格好等の形式を特に限定しない写真であるスナップ写真のうち、紹介記事に関係する撮影内容のスナップ写真であり、例えばメッセージを書いた新郎及び新婦、紹介記事中に挙げられた人物、ペット、場所、その他の物が写っているスナップ写真を挙げることができる。尚、紹介記事にスナップ写真を添えるに限られず、紹介記事に関する絵などを掲載しても良い。このようなスナップ写真を備えることにより、写真集としての意義が更に発揮される。
【００２０】
「友人両親からのメッセージ部」及び「友人両親からのメッセージ頁」は、図５に例示するように、友人及び両親のうちの少なくとも友人から、新郎及び新婦に宛てたメッセージ１７１及びそのメッセージ１７１に関する写真１７２を備える。この「メッセージ」は、新郎及び新婦に宛てた内容であれば特に問わず、例えば新郎及び新婦に対する結婚の祝福の内容とすることができる。また、「メッセージに関する写真」は、メッセージを書いた友人及び両親、紹介記事中に挙げられた人物等を挙げることができる。このような写真を備えることにより、写真集としての意義が更に発揮される。尚、メッセージにスナップ写真を添えるに限られず、メッセージに関する絵などを掲載しても良い。
【００２１】
「名称記載部」は、本写真集の表紙又は裏表紙に設けられた部分であり、図９に例示する裏表紙１８の名称を記載する下線付きの欄１８１に示すように、席札として使うために各席に座る列席者を表す名称を記載した部分である。ここで名称とは、列席者の氏名、姓、名前、愛称及び略称等の列席者が特定できる名称等をいう。名称記載部は、名称を筆記するための欄、名称が記載されている用紙を貼付するための欄等を挙げることができる。また、欄は、予め枠を設ける、下線を引く（例えば図９の部位１８１を参照。）、空欄を形成する、前撮り写真上に重ねて設ける等とすることができ、これらを組み合わせても良い。更に、名称記載部を前撮り写真上に重ねる場合、前記表紙の文の掲載位置で説明する位置と同様の位置に設けることができ、通常、ページの中心より下端側の左右における中央又は右端側とすることができる。
また、「名称記載部」を写真集の表紙に設けた場合、裏表紙全体に１枚の新婦の前撮り写真、又は１枚の新郎及び新婦の両方が掲載された前撮り写真を掲載しても良い。
【００２２】
「各列席者あてメッセージ部」及び「各列席者あてメッセージ頁」は、図９の部位１８１及び部位１８２に例示するように、新郎及び新婦からの各列席者あてのメッセージ及びその列席者を表す名称の掲載を含み、本写真集の裏表紙に備えられる。この「メッセージ」は、列席者に対する挨拶やお礼等の任意の内容とすることができる。披露宴中は、時間を掛けて列席者と会話することが難しいため、この場所にメッセージを記載することで、列席者に対するお礼等を伝えることができる。更に、披露宴に出られなかった列席者の知人に対する内容であっても良い。また、メッセージ部及びメッセージ頁は、メッセージを筆記されたり、メッセージが記載されている用紙（シールも含む。）を貼付されたりすることでメッセージが記載される。
更に、メッセージ部及びメッセージ頁は、前撮り写真及び／又はスナップ写真と共に掲載することができる。各写真と共に掲載することで、写真集としての意義が更に発揮される。
尚、「各列席者あてメッセージ部」及び「各列席者あてメッセージ頁」を設けた場合、これらにより席札として本写真集が機能するため、写真集の表紙に名称記載部等の列席者を表す名称を設けなくてもかまわない。また、各列席者あてメッセージ部及び各列席者あてメッセージ頁を表紙や写真集内に設けてもよい。
【００２３】
「誓約書部」及び「誓約書頁」は、図６の誓約書１４１、１４２に例示するように、新郎及び新婦による誓約書を備える。誓約書の内容は、宣言等の形式で記載され、例えば結婚相手やその両親、友人等に各種誓いを立てた内容を例示することができる。また、誓約書は、新郎及び新婦の一人のみが記載してもよいし、二人が記載しても良い。更に、誓約書は新郎及び新婦のそれぞれに用意してもよいし、共通した誓約書としてもよい。
また、図６に例示するように、誓約書１４１、１４２に、誓約書を記載した新郎及び新婦が宣誓している様子等の写真１４３を掲載しても良い。このような写真を掲載することによって、誓約書も写真集としての価値を生じ、また、列席者が誓約書を宣誓する新郎及び新婦を見る楽しみが生じる。
【００２４】
「席次表部」及び「席次表頁」は、図７に例示するように、結婚披露宴の席次表１５１を備える。席次表は、通常の結婚披露宴の席次表と同様に、結婚披露宴会場の机とその机に着席する列席者の位置が分かるように記載されたものであればよく、特に問わない。
また、席次表には図７に例示するように、新郎、新婦の写真１５２及びその両親等の写真１５３を掲載しても良い。このような写真を掲載することによって、席次表も写真集としての価値を生じ、また、列席者が新郎、新婦及びその両親を見て、関連する話題に活用することができる。
【００２５】
「料理メニュー部」及び「料理メニュー頁」は、図８に例示するように、結婚披露宴で提供する料理の一覧１６１を備える。このような料理メニューは、一般の式場で提供されるメニューと同様に提供されるメニューの一覧等が記載されていれば良く、書式は特に問わない。
また、図８に例示するように、料理メニューに披露宴で提供する料理等のサンプル写真１６２を掲載しても良い。このような写真を掲載することによって、料理メニューも写真集としての価値を生じ、また、列席者が料理メニューを見て、料理に関連する話題に活用することができる。
【００２６】
本結婚披露宴配布用写真集は、前記各部及び各頁を掲載するに限られず、任意の内容を掲載したり、添付したりすることができる。
例えば、前記列席者の一部又は全員の寄せ書き及び該寄せ書きに関する写真を掲載する、列席者寄せ書き部又は列席者寄せ書き頁を更に設けることができる。寄せ書きは、一行程度のお祝いなどの文と、その文に併記される記載者の名称が多数並べられたものである。このような、列席者の一部又は全員の寄せ書き及び寄せ書きに関する写真を掲載する列席者寄せ書き部又は列席者寄せ書き頁を備える場合は、新郎及び新婦と、友人や両親と、の関係を知ることができ、また、寄せ書きの内容によって新婦及び新郎についての人柄等が分かりやすくなり、新婦及び新郎に関する話題の提供に寄与することができる。更に、新婦及び新郎が友人等と本結婚披露宴配布用写真集を作成するために携わるため、結婚式までの間、各人が本写真集の作成を楽しむこともできる。尚、列席者寄せ書き部又は列席者寄せ書き頁は、列席者が披露宴で書き足しても良い。
また、新郎及び新婦から列席者に対する挨拶や感謝等のメッセージと、そのメッセージに関する写真を掲載する列席者に対するメッセージ部及び列席者に対するメッセージ頁を更に設けることができる。このようなメッセージを掲載することで、本写真集が記念品としての価値を高めることができる。
【００２７】
また、列席者に対する感謝お礼の言葉、新郎及び新婦の新居の住所等を記載したメッセージカード（サンキューカードともいう）を掲載したり添付したりすることができる。
更に、新郎新婦からのメッセージ部、新郎新婦紹介部、新郎新婦紹介頁、友人両親からのメッセージ部、友人両親からのメッセージ頁、名称記載部、各列席者あてメッセージ部、各列席者あてメッセージ頁、列席者寄せ書き部、列席者寄せ書き頁、誓約書部、誓約書頁、席次表部、席次表頁、料理メニュー部、及び料理メニュー頁は、１ページに掲載されていてもよいし、見開きページや複数のページにまたがって掲載しても良い。
【００２８】
結婚披露宴配布用写真集に掲載する各種前撮り写真、各頁及び各部を掲載する順番は任意とすることができるが、例えば次の順番で掲載することで、読みやすく、本写真集を利用しやすくすることができる。即ち、
(1)表紙に、表紙全体に渡る新婦の前撮り写真の１枚、
(2)表紙の次ページから全て新婦、新郎及び両者の前撮り写真を１種又は２種以上組み合わせた、複数の前撮り写真が連続した複数ページに掲載される前撮り写真、
(3)新郎新婦紹介部又は新郎新婦紹介頁、
(4)友人両親からのメッセージ部又は友人両親からのページ頁、の順に掲載し、且つ、写真集の表紙又は裏表紙は、各席に座る列席者を表す名称が記載されている結婚披露宴配布用写真集とすることができる。
このうち、複数ページに掲載される前撮り写真は、全て前記新婦の前撮り写真、又は、前記新婦の前撮り写真及び前記新郎及び新婦の両者の前撮り写真を掲載することができる。また、前撮り写真を２〜１４頁に渡り連続して掲載することができる。
【００２９】
また、(4)友人両親からのメッセージ部又は友人両親からのページ頁と、裏表紙と、の間に、(5)誓約書部又は誓約書頁、(6)席次表部又は席次表頁、(7)料理メニュー頁のうちの１又は２以上を、備えることができる。これらの順は特に問わないが、例えば(5)誓約書部又は誓約書頁、(6)席次表頁、(7)料理メニュー頁の順とすることができる。
尚、表紙に列席者を表す名称が掲載されている場合は、裏表紙に新婦の前撮り写真の１枚又は新郎及び新婦の両方が掲載された前撮り写真の１枚が裏表紙全体に渡って掲載することで、より写真集としての体裁を高めることができる。また、表紙に列席者を表す名称が記載されていない場合は、裏表紙に各列席者あてメッセージ部を備えるか、若しくは各列席者あてメッセージ頁を構成することができる。
【実施例】
【００３０】
このような結婚披露宴配布用写真集の実施例を図１〜９に示す。本結婚披露宴配布用写真集は、表紙及び裏表紙を除く１８ページからなる写真集である。
図１に示すように本写真集の表紙１１は、結婚衣装を着た新婦２の前撮り写真１２をページ全面に渡って掲載した構成となっている。また、表紙１１左下に「Ｔ＆Ｒ  Ｈａｐｐｙ  Ｗｅｄｄｉｎｇ」と、新郎及び新婦の頭文字「Ｔ］及び「Ｒ］と、表題「Ｈａｐｐｙ  Ｗｅｄｄｉｎｇ」とを含む文１１１を前撮り写真１２上に記載することで、新郎及び新婦の披露宴に関する冊子であることを示している。
【００３１】
本写真集の１〜１１ページ目、及び１８ページ目は、図２及び３に例示するように、結婚衣装を着た新婦２の前撮り写真１２を掲載した構成である。各ページは、図２に例示するように、１枚の前撮り写真１２がページ全面に渡って掲載されていたり、図３に例示するように、１枚の前撮り写真１２が見開きの２ページ全面に渡って掲載されていたり、並びに複数枚の前撮り写真１２が１ページに掲載されている構成を種々選択して前撮り写真１２を掲載している。また、新郎及び新婦が共に写っている前撮り写真や、新婦のみが写っている前撮り写真が含まれるページも設けられている（図示せず）。
これらのページは、例えば図２に示すように階段から下りたところを撮影したり、図３に示すように屋外で撮影したりするなど、様々な格好で撮影された構成となっている。また、図２及び３に示すように、新郎新婦からのメッセージ部１２１として、両親への感謝の言葉（図２を参照。）や新郎への言葉（図３を参照。）を、前撮り写真１２上に掲載している。
尚、新婦２等の前撮り写真１２は、前記ページに限られず、図５に示す友人両親からのメッセージ頁１７や、図９に示す裏表紙１８等にも掲載されている。
【００３２】
図４に示すように本写真集の１２ページ目には、新郎新婦紹介頁１３が設けられている。新郎新婦紹介頁１３は、新郎及び新婦の紹介記事１３１と、その紹介記事１３１に関するスナップ写真１３２が複数掲載されている。また、紹介記事１３１は、新郎及び新婦の生い立ちの話として例えば野球少年であった話、海の話が紹介されている他、二人が出会ったときの話、二人が出会った後の話等が掲載されている。更に、紹介記事１３１の横に隣接して紹介記事１３１に関連する内容のスナップ写真が用いられており、例えば、野球少年に関する話のそばに、野球のユニホームを着た若年の新郎の写真等が掲載されている。
【００３３】
図５に示すように本写真集の１３ページ目には、友人両親からのメッセージ頁１７が設けられている。友人両親からのメッセージ頁１７は、友人から新郎及び新婦へのメッセージ１７１と、そのメッセージ１７１に関するスナップ写真１７２が複数掲載されている。また、メッセージ１７１は、友人から新郎及び新婦へお祝いの言葉が掲載されている。更に、メッセージ１７１を記載した友人の顔写真等のスナップ写真１７２がメッセージ１７１の横に隣接して掲載されている。
【００３４】
図６に示すように本写真集の１４ページ目には、誓約書頁１４が設けられている。誓約書頁１４は、ページの上段に新郎の誓約書１４１が掲載され、ページの下段に新婦の誓約書１４２が掲載されている。また、誓約書１４１には新郎が結婚衣装を着て宣誓している様子の前撮り写真１４３が掲載されている。更に、誓約書１４２には新婦が結婚衣装を着て宣誓している様子の前撮り写真１４３が掲載されている。
図７に示すように本写真集の１５から１６ページに渡る見開きページには、席次表頁１５が設けられている。席次表頁１５は、披露宴の席次表１５１が掲載されている。また、席次表頁１５には、結婚衣装を着てテーブルの前に着席した新郎及び新婦の前撮り写真１５２と、新郎及び新婦のそれぞれの両親の写真１５２が掲載されている。
図８に示すように本写真集の１７ページ目には、料理メニュー頁１６が設けられている。料理メニュー頁１６は、披露宴の料理メニュー１６１が掲載されている。更に、料理メニュー頁１６には、披露宴の料理のサンプル写真１６２が掲載されている。
【００３５】
図９に示すように本写真集の裏表紙１８には、各列席者あてメッセージ部１８２が設けられている。メッセージ部１８２は、下線によって複数行に区切られており、上から１行目は列席者を表す名称を記載できるように「Ｔｏ：」が印刷された欄１８１となっている。このようなメッセージ部１８２は、１行目に列席者を表す名称を筆記し、２行目以降に列席者あてのメッセージを記載することができる。
【００３６】
このような本写真集は、図９に示す各列席者あてメッセージ部１８２に各列席者の名称、及び列席者に対するメッセージを新郎及び新婦が筆記した後、披露宴会場の各列席者の各席のテーブル上に、裏表紙１８が表を向くように載置した状態で配布される。これによって、披露宴会場に到着した各列席者が、本写真集の裏表紙１８の欄１８１に記載された列席者の名称を見ることで着席する席を区別することができる。
また、本写真集の図１〜３に示す表紙１１以下のページを見ることで、結婚式と同等の格好をした新郎及び新婦の前撮り写真を観賞し、記載された新郎新婦からのメッセージ部１２１等を読むことができる。
【００３７】
これにより、列席者は新婦及び新郎が入場するまでの間、新婦等の格好、特に従来では多くの人に見られることがない結婚衣装を着た新婦及び／又は新郎の前撮り写真を見て、それに関する話題の会話を楽しむことができる。更に、披露宴の後であっても、結婚衣装を着た新婦等の前撮り写真により、結婚式や披露宴に出席しなかった人に結婚式の様子を、前撮り写真を見せながら説明することができる。また、冊子の形態とし、更に全てのページに写真を掲載することで、披露宴が終わっても保管する記念品としての価値を高め、披露宴の後で改めて見直して、語り合うことのきっかけとすることができる。
更に、新郎新婦からのメッセージ部、新郎新婦紹介頁、友人両親からのメッセージ頁、誓約書頁及び料理メニュー頁により新婦及び新郎が入場するまでの間、結婚式中、披露宴中及び披露宴後にこれらに関する話をするための話題作りに寄与することができる。
また、新郎新婦紹介頁及び友人両親からのメッセージ頁を備えることで、様々なスナップ写真を備えるので写真集としての意義が更に発揮される。
更に、各列席者あてメッセージ頁を備えることで、本写真集が席札として機能し、且つ列席者が本写真集の写真集としての印象が強く表れている表紙を見たとき、その印象をより強めることができる。
また、前撮り写真を掲載する頁、新郎新婦紹介部又は新郎新婦紹介頁、並びに友人両親からのメッセージ部又は友人両親からのページ頁の順に構成する場合は、写真集としてのストーリー性を高め、披露宴が終わっても保管する記念品としての価値を高め、披露宴の後で改めて見直して、語り合うことのきっかけとすることができる。
【００３８】
尚、本発明においては、前記実施例に示すものに限られず、目的、用途に応じて本発明の範囲内で種々変更した態様とすることができる。例えば、本実施例の結婚披露宴配布用写真集は、新婦のみが写った前撮り写真を表紙に掲載していたがこれに限られず、新婦及び新郎が写った前撮り写真を表紙に掲載してもよい。また、本結婚披露宴配布用写真集は前記各ページにおいて、更にイラスト及び／又は漫画等を付加することができる。更に、前撮り写真を示す頁にスナップ写真を掲載して良い。このとき、図１に示す表紙１１の文１１１と同様の位置に重ねて掲載することができる。
また、実施例においては披露宴で配布するがこれに限られず、二次会出席者等にも配布することができる。更に、裏表紙全体に１枚の新婦の前撮り写真、又は１枚の新郎及び新婦の両方が掲載された前撮り写真を掲載しても良い。
【００３９】
更に、参考例として、新郎のみが写った前撮り写真を表紙に掲載することを挙げることができる。また、新郎のみが写った前撮り写真を表紙に掲載した場合は、写真集内の各ページの前撮り写真を主に結婚衣装を着た新郎のみが写った写真とすることができる。更に、写真集の裏表紙に新郎のみが写った前撮り写真を掲載することができる。但し、前記写真集内及び裏表紙の各前撮り写真は、新郎のみが写った前撮り写真に限られず、新婦のみが写った前撮り写真、並びに／又は新郎及び新婦が写った前撮り写真であってもよく、各前撮り写真が各々任意の枚数だけ掲載される。このように、新郎のみが写った前撮り写真が主に掲載されている結婚披露宴配布用写真集は、新郎の前撮り写真に主な価値を見出した写真集とすることができ、好ましい。また、前記本発明においての記載された前記事項は、この参考例において全て適用することができる。
また、別の参考例として新郎新婦からのメッセージは、前撮り写真を示す頁に掲載するに限られず、前撮り写真を含まずに単独で掲載されてもよい。このとき、前記友人両親からのメッセージ部等と同様に、各々１ページ中の一部の領域を示す新郎新婦からのメッセージ部として掲載されていてもよい。更に、前記友人両親からのメッセージ頁等と同様に、１ページ又は見開き２ページに渡って構成等される新郎新婦からのメッセージ頁として設けられても良い。また、本メッセージ部及びメッセージ頁は、本写真集内の任意のページ位置、及び裏表紙に設けることができ、前撮り写真を示す頁よりも後方の各部及び各ページと同様に設けられてもよいし、前撮り写真を示す頁と他の前撮り写真を示す頁との間や、前撮り写真を示す頁よりも前に設けられてもよい。更に、メッセージに関連するスナップ写真及び／又は前撮り写真が添えられて掲載されていてもよい。
【符号の説明】
【００４０】
１１；表紙、１２；前撮り写真、１２１；新郎新婦からのメッセージ部、１３；新郎新婦紹介頁、１３１；紹介記事、１３２；紹介記事に関するスナップ写真、１４；誓約書頁、１４１、１４２；誓約書、１５；席次表頁、１５１；席次表、１６；料理メニュー頁、１６１；料理メニュー、１７；友人両親からのメッセージ頁、１７１；メッセージ、１７２；メッセージに関する写真、１８；裏表紙、１８１；各席に座る列席者を表す名称、１８２；各列席者あてメッセージ部、２；新婦。
【図１】
2012056091.tif 000003
【図２】
2012056091.tif 000004
【図３】
2012056091.tif 000005
【図４】
2012056091.tif 000006
【図５】
2012056091.tif 000007
【図６】
2012056091.tif 000008
【図７】
2012056091.tif 000009
【図８】
2012056091.tif 000010
【図９】
2012056091.tif 000011